(57)【要約】【課題】  携帯通信端末に登録されている情報をできるだけ表示することが可能になる携帯通信端末、携帯通信端末の動作制御方法および通信システムを提供する。【解決手段】  携帯電話端末は、無線通信機能を実行する無線通信動作と、電話帳機能を実行する電話帳動作と、メモ帳機能を実行するメモ帳動作と、カメラ機能を実行するカメラ動作と、インターネット閲覧機能を実行するインターネット閲覧動作とを実行可能である。ＣＰＵ１０は、電源制御部１６が検出したバッテリ１８の電圧が第１の所定の値ｘより高い場合には、携帯通信端末が実行可能な動作のすべてを許容する。ＣＰＵ１０は、電源制御部１６が検出したバッテリ１８の電圧が第１の所定の値ｘ以下の場合には、携帯通信端末が実行可能な動作の中で、ＲＡＭ１２の情報格納エリアに格納されている情報を表示部１４に表示する表示動作のみを許容する。【選択図】      図１
2005064849.tif 000002
【特許請求の範囲】
【請求項１】
無線通信動作を行う無線通信部と、情報が入力される情報入力部と、前記情報を格納する情報格納部と、前記情報格納部に格納されている情報を表示する表示部と、電源電圧を検出する電圧検出部と、前記無線通信部、情報入力部、情報格納部および表示部の動作を制御する制御部とを含む携帯通信端末であって、
前記制御部は、前記電圧検出部が検出した電源電圧が所定の値以下の場合には、前記携帯通信端末が実行可能な動作の中で前記情報格納部に格納されている情報を表示する表示動作のみを許容することを特徴とする携帯通信端末。
【請求項２】
請求項１に記載の携帯通信端末において、
前記携帯通信端末が実行可能な動作ごとに動作継続と動作中断とのいずれかが設定される設定部をさらに含み、
前記制御部は、何らかの処理を行っているときに前記電源電圧が前記所定の値以下になった場合には、現在処理を行なっている内容を確認し、前記設定部で動作継続と設定されている動作については該処理が終了するまで実行させた後に前記携帯通信端末が実行可能な動作の中で前記表示動作のみを許容し、前記設定部で動作中断と設定されている動作については中断させ、前記携帯通信端末が実行可能な動作の中で前記表示動作のみを許容することを特徴とする携帯通信端末。
【請求項３】
請求項１に記載の携帯通信端末において、
前記制御部は、前記電圧検出部が検出した電源電圧が小さくなるにつれて、実行を禁止する動作を増やしていくことを特徴とする携帯通信端末。
【請求項４】
無線通信動作を行う無線通信部と、情報が入力される情報入力部と、前記情報を格納する情報格納部と、前記情報格納部に格納されている情報を表示する表示部と、前記無線通信で使用する無線信号の受信レベルを検出する受信レベル検出部と、前記無線通信部、情報入力部、情報格納部および表示部の動作を制御する制御部とを含む携帯通信端末であって、
前記制御部は、前記受信レベル検出部が検出した無線信号の受信レベルが所定値以下の場合には、前記携帯通信端末が実行可能な動作の中で前記情報格納部に格納されている情報を表示する表示動作のみを許容することを特徴とする携帯通信端末。
【請求項５】
請求項１に記載の携帯通信端末と、携帯電話基地局および携帯電話通信網とを介して前記携帯通信端末と接続するサーバとを含み、
前記携帯通信端末は、前記電源電圧が前記所定の値以下であることを検出したときに低電圧状態を示す低電圧情報を前記携帯電話基地局と前記携帯電話通信網とを介して前記サーバに通知し、
前記サーバは、前記低電圧情報の通知を行った携帯通信端末に着呼が発生した場合には、該呼を発生した通信端末に対して前記携帯通信端末が低電圧状態であることを知らせ、
前記携帯通信端末は、前記サーバから該低電圧情報に応じた設定が終了したことの通知を前記携帯電話基地局と前記携帯電話通信網とを介して受けると、前記携帯通信端末が実行可能な動作の中で前記表示動作のみを許容することを特徴とする通信システム。
【請求項６】
請求項１に記載の携帯通信端末と、携帯電話基地局および携帯電話通信網とを介して前記携帯通信端末と接続するサーバとを含み、
前記携帯通信端末は、前記電源電圧が前記所定の値以下であることを検出したときに低電圧状態を示す低電圧情報と転送先を示す転送先情報とを前記携帯電話基地局と前記携帯電話通信網とを介して前記サーバに通知し、
前記サーバは、前記低電圧情報の通知を行った携帯通信端末に着呼が発生した場合には、前記転送先に前記着呼を転送し、
前記携帯通信端末は、前記サーバから該低電圧情報に応じた設定が終了したことの通知を前記携帯電話基地局と前記携帯電話通信網とを介して受けた後に、前記携帯通信端末が実行可能な動作の中で前記表示動作のみを許容することを特徴とする通信システム。
【請求項７】
無線通信を行う無線通信部と、情報が入力される情報入力部と、前記情報を格納する情報格納部と、前記情報格納部に格納されている情報を表示する表示部と、前記無線通信部、情報入力部、情報格納部および表示部の動作を制御する制御部とを含む携帯通信端末の動作制御方法であって、
電源電圧を検出する電圧検出ステップと、
前記電圧検出ステップで検出した電源電圧が所定の値以下の場合に、前記携帯通信端末が実行可能な動作の中で前記情報格納部に格納されている情報を表示する表示動作のみを許容する動作許容ステップとを含むことを特徴とする携帯通信端末の動作制御方法。
【請求項８】
請求項７に記載の携帯通信端末の動作制御方法において、
該携帯通信端末が実行可能な動作ごとに動作継続と動作中断とのいずれかが設定される設定ステップをさらに含み、
前記動作許容ステップは、何らかの処理を行っているときに前記電源電圧が前記所定の値以下になった場合には、現在処理を行っている内容を確認し、前記設定ステップで動作継続と設定されている動作は該処理が終了するまで実行させた後に前記携帯通信端末が実行可能な動作の中で前記表示動作のみを許容し、前記設定ステップで動作中断と設定されている動作は中断させ、前記携帯通信端末が実行可能な動作の中で前記表示動作のみを許容することを特徴とする携帯通信端末の動作制御方法。
【請求項９】
請求項７に記載の携帯通信端末の動作制御方法において、
前記電圧検出部が検出した電源電圧が小さくなるにつれて、実行を禁止する動作を増やしていく動作禁止ステップをさらに含むことを特徴とする携帯通信端末の動作制御方法。
【請求項１０】
無線通信動作を行う無線通信部と、情報が入力される情報入力部と、前記情報を格納する情報格納部と、前記情報格納部に格納されている情報を表示する表示部と、前記無線通信部、情報入力部、情報格納部および表示部の動作を制御する制御部とを含む携帯通信端末の動作制御方法であって、
前記無線通信で使用する無線信号の受信レベルを検出する受信レベル検出ステップと、
前記受信レベル検出ステップで検出した無線信号の受信レベルが所定値以下の場合には、前記携帯通信端末が実行可能な動作の中で前記情報格納部に格納されている情報を表示する表示動作のみを許容する動作許容ステップとを含むことを特徴とする携帯通信端末の動作制御方法。
【発明の詳細な説明】
【技術分野】
【０００１】
本発明は、携帯通信端末、携帯通信端末の動作制御方法および通信システムに関し、特には、通信機能と異なる機能を有する携帯通信端末、携帯通信端末の動作制御方法および通信システムに関する。
【背景技術】
【０００２】
従来、携帯電話端末等の携帯通信端末において、電源電圧の低下によって発生する不具合を解消するための技術が提案されている。
【０００３】
特許文献１（特開平１０−２０９９５３号公報）には、電源電圧の大きさに応じて携帯電話端末が実行可能な通信機能を限定することにより、通信可能時間を長くする技術が記載されている。
【０００４】
特許文献２（特開２０００−２７８７４７号公報）には、携帯電話端末が受信する無線信号の受信レベルの大きさが所定のしきい値未満である場合に通話制限を行う技術が記載されている。なお、特許文献２に記載された技術は、携帯電話端末が受信する無線信号の受信レベルが小さいと、携帯電話端末は通信可能な電波を探してしまい、無駄な電力を消耗してしまうという不具合を解消することも可能である。
【０００５】
また、近年、携帯電話端末等の携帯通信端末では、本来の通信機能に加えて、電話帳または住所録またはメモ帳等の通信機能と異なる機能が付加されるようになった。
【０００６】
特許文献３（特開２００１−１９７１９７号公報）には、通信機能と異なる機能を付加した携帯型電話機において、バッテリの電圧低下時に、通信機能と異なる機能の実行を制限することにより、バッテリの電圧低下時にも通信機能を実行することを可能とする技術が記載されている。つまり、特許文献３には、バッテリの電圧低下時に、通信機能と異なる機能より通信機能を優先させる技術が記載されている。
【０００７】
特許文献４（特開２００２−２６１９１９号公報）には、通信機能と異なる機能を付加した携帯電話端末において、バッテリの電圧低下時に、通信機能の実行のみを部分的に制限することにより、バッテリの電圧低下時にも通信機能と異なる機能を実行することを可能とする技術が記載されている。つまり、特許文献４には、バッテリの電圧低下時に、通信機能より通信機能と異なる機能を優先させる技術が記載されている。
【特許文献１】特開平１０−２０９９５３号公報
【特許文献２】特開２０００−２７８７４７号公報
【特許文献３】特開２００１−１９７１９７号公報
【特許文献４】特開２００２−２６１９１９号公報
【発明の開示】
【発明が解決しようとする課題】
【０００８】
特許文献１ないし３に記載された携帯通信端末には、以下のような課題があった。
【０００９】
第１の課題は、一般に、携帯通信端末の電話帳機能には多数の電話番号が登録されているが、電話帳機能に登録された電話番号を、手帳のように常に携帯するものにバックアップしている場合は少ないため、例えば、外出中に携帯通信端末のバッテリが低下してしまい、携帯通信端末のかわりに公衆電話等のほかの通信手段を用いて連絡をとろうとしても、連絡相手の電話番号がわからないという状況が発生してしまうという課題である。
【００１０】
第２の課題は、携帯通信端末のテキストメモ機能をメモ代わりに使用していた場合には、携帯通信端末のバッテリ切れによって、携帯通信端末に登録しておいたメモを参照できない状況が発生する可能性があったという課題である。
【００１１】
第１の課題と第２の課題とに共通する問題点は、携帯通信端末のバッテリの低下に伴い、ユーザが携帯通信端末に登録しておいた情報が確認できなくなってしまうという問題点である。
【００１２】
さらに言えば、例えば、バッテリの低下により携帯通信端末を用いた通信ができなくなっても代わりの通信手段を用いて通信を行うことができたり、バッテリの低下により携帯通信端末を用いた情報登録ができなくなってもメモ用紙等を用いてその情報を記録することはできたりするが、バッテリの低下により携帯通信端末に登録しておいた情報を確認できなくなってしまうと、その情報のバックアップデータがない限り、その情報の確認ができなくなってしまう。
【００１３】
特許文献４に記載の携帯型電話機は、バッテリの電圧低下時に、通信機能より通信機能と異なる機能を優先させるので、特許文献１ないし３に記載された情報通信端末に比べて、バッテリが低下しても、携帯通信端末に登録しておいた情報を参照できる確率が高くなる。
【００１４】
しかしながら、特許文献４に記載の携帯型電話機は、バッテリが低下しても通信機能と異なる機能のすべてを実行するので、例えば、電話番号の登録またはカメラ機能を用いた撮影を行っているうちに、バッテリの電圧がさらに低下し、携帯通信端末に登録しておいた情報を確認できなくなってしまうという問題が生じてしまう。
【００１５】
本発明の目的は、携帯通信端末に登録されている情報をできるだけ表示することが可能になる携帯通信端末、携帯通信端末の動作制御方法および通信システムを提供することである。
【課題を解決するための手段】
【００１６】
上記の目的を達成するために、本発明の携帯通信端末は、無線通信動作を行う無線通信部と、情報が入力される情報入力部と、前記情報を格納する情報格納部と、前記情報格納部に格納されている情報を表示する表示部と、電源電圧を検出する電圧検出部と、前記無線通信部、情報入力部、情報格納部および表示部の動作を制御する制御部とを含む携帯通信端末であって、前記制御部は、前記電圧検出部が検出した電源電圧が所定の値以下の場合には、前記携帯通信端末が実行可能な動作の中で前記情報格納部に格納されている情報を表示する表示動作のみを許容することを特徴とする。
【００１７】
上記の発明によれば、制御部は、電源電圧が所定の値以下になると、表示動作のみを許容するので、電源電圧が低下しても、携帯通信端末に登録されている情報を長い間確認することが可能になる。
【００１８】
また、本発明の携帯通信端末は、前記携帯通信端末が実行可能な動作ごとに動作継続と動作中断とのいずれかが設定される設定部をさらに含み、前記制御部は、何らかの処理を行っているときに前記電源電圧が前記所定の値以下になった場合には、現在処理を行なっている内容を確認し、前記設定部で動作継続と設定されている動作については該処理が終了するまで実行させた後に前記携帯通信端末が実行可能な動作の中で前記表示動作のみを許容し、前記設定部で動作中断と設定されている動作については中断させ、前記携帯通信端末が実行可能な動作の中で前記表示動作のみを許容することを特徴とする。
【００１９】
上記の発明によれば、電源電圧が低下しても、携帯通信端末に格納されている情報をできるだけ参照することが可能になることに加え、例えば、処理の途中で中断すると不具合が生じるような動作についてはユーザ等が設定部に動作継続と設定することで、電源電圧が所定の値以下になったときでも、その動作処理を最後まで実行でき、処理の途中で中断しても大きな不具合が生じない動作はユーザ等が設定部に動作中断と設定することにより、電源電圧が所定の値以下になったときにその動作処理を途中で終了させることが可能となり、携帯通信端末の動作を安定させることが可能となる。
【００２０】
また、本発明の携帯通信端末は、前記制御部は、前記電圧検出部が検出した電源電圧が小さくなるにつれて、実行を禁止する動作を増やしていくことを特徴とする。
【００２１】
上記の発明によれば、電源電圧が低下しても、携帯通信端末に格納されている情報をできるだけ参照することが可能になることに加え、電源電圧に応じて制限される動作が異なり、電源電圧が低くなるにつれて大消費電流を必要とする動作を禁止していくことが可能となり、電源の長寿命化を図ることが可能となる。
【００２２】
また、本発明の携帯通信端末は、無線通信動作を行う無線通信部と、情報が入力される情報入力部と、前記情報を格納する情報格納部と、前記情報格納部に格納されている情報を表示する表示部と、前記無線通信で使用する無線信号の受信レベルを検出する受信レベル検出部と、前記無線通信部、情報入力部、情報格納部および表示部の動作を制御する制御部とを含む携帯通信端末であって、前記制御部は、前記受信レベル検出部が検出した無線信号の受信レベルが所定値以下の場合には、前記携帯通信端末が実行可能な動作の中で前記情報格納部に格納されている情報を表示する表示動作のみを許容することを特徴とする。
【００２３】
上記の発明によれば、制御部が、無線信号の受信レベルが所定値以下になると、表示動作のみを許容するので、無線信号の受信レベルに低下に伴い電源電圧が低下することを防止しながら、携帯通信端末に格納されている情報をできるだけ参照することが可能になる。
【００２４】
また、本発明の通信システムは、前記携帯通信端末と、携帯電話基地局および携帯電話通信網とを介して前記携帯通信端末と接続するサーバとを含み、前記携帯通信端末は、前記電源電圧が前記所定の値以下であることを検出したときに低電圧状態を示す低電圧情報を前記携帯電話基地局と前記携帯電話通信網とを介して前記サーバに通知し、前記サーバは、前記低電圧情報の通知を行った携帯通信端末に着呼が発生した場合には、該呼を発生した通信端末に対して前記携帯通信端末が低電圧状態であることを知らせ、前記携帯通信端末は、前記サーバから該低電圧情報に応じた設定が終了したことの通知を前記携帯電話基地局と前記携帯電話通信網とを介して受けると、前記携帯通信端末が実行可能な動作の中で前記表示動作のみを許容することを特徴とする。
【００２５】
上記の発明によれば、低電圧情報の通知を行った携帯通信端末に着呼が発生した場合には、該呼を発生した通信端末に対して携帯通信端末が低電圧状態であることを知らせることが可能となる。
【００２６】
また、本発明の通信システムは、前記携帯通信端末と、携帯電話基地局および携帯電話通信網とを介して前記携帯通信端末と接続するサーバとを含み、前記携帯通信端末は、前記電源電圧が前記所定の値以下であることを検出したときに低電圧状態を示す低電圧情報と転送先を示す転送先情報とを前記携帯電話基地局と前記携帯電話通信網とを介して前記サーバに通知し、前記サーバは、前記低電圧情報の通知を行った携帯通信端末に着呼が発生した場合には、前記転送先に前記着呼を転送し、前記携帯通信端末は、前記サーバから該低電圧情報に応じた設定が終了したことの通知を前記携帯電話基地局と前記携帯電話通信網とを介して受けた後に、前記携帯通信端末が実行可能な動作の中で前記表示動作のみを許容することを特徴とする。
【００２７】
上記の発明によれば、低電圧情報の通知を行った携帯通信端末に着呼が発生した場合には、転送先に前記着呼を転送することが可能となる。
【００２８】
また、本発明の携帯通信端末の動作制御方法は、無線通信を行う無線通信部と、情報が入力される情報入力部と、前記情報を格納する情報格納部と、前記情報格納部に格納されている情報を表示する表示部と、前記無線通信部、情報入力部、情報格納部および表示部の動作を制御する制御部とを含む携帯通信端末の動作制御方法であって、電源電圧を検出する電圧検出ステップと、前記電圧検出ステップで検出した電源電圧が所定の値以下の場合に、前記携帯通信端末が実行可能な動作の中で前記情報格納部に格納されている情報を表示する表示動作のみを許容する動作許容ステップとを含むことを特徴とする。
【００２９】
上記の発明によれば、電源電圧が所定の値以下になると、表示動作のみを許容するので、電源電圧が低下しても、携帯通信端末に登録されている情報をできるだけ長い間参照することが可能になる。
【００３０】
また、本発明の携帯通信端末の動作制御方法は、該携帯通信端末が実行可能な動作ごとに動作継続と動作中断とのいずれかが設定される設定ステップをさらに含み、前記動作許容ステップは、何らかの処理を行っているときに前記電源電圧が前記所定の値以下になった場合には、現在処理を行っている内容を確認し、前記設定ステップで動作継続と設定されている動作は該処理が終了するまで実行させた後に前記携帯通信端末が実行可能な動作の中で前記表示動作のみを許容し、前記設定ステップで動作中断と設定されている動作は中断させ、前記携帯通信端末が実行可能な動作の中で前記表示動作のみを許容することを特徴とする。
【００３１】
上記の発明によれば、電源電圧が低下しても、携帯通信端末に登録されている情報をできるだけ参照することが可能になることに加え、例えば、処理の途中で中断すると不具合が生じるような動作は、ユーザが設定部に動作継続と設定することにより、電源電圧が所定の値以下になったときでも、その動作処理を最後まで実行でき、処理の途中で中断しても大きな不具合が生じない動作は、ユーザ等が設定部に動作中断と設定することにより、電源電圧が所定の値以下になったときにその動作処理を途中で終了させることが可能となり、携帯通信端末の動作を安定させることが可能となる。
【００３２】
また、本発明の携帯通信端末の動作制御方法は、前記電圧検出部が検出した電源電圧が小さくなるにつれて、実行を禁止する動作を増やしていく動作禁止ステップをさらに含むことを特徴とする。
【００３３】
上記の発明によれば、電源電圧が低下しても、携帯通信端末に登録されている情報をできるだけ参照することが可能になることに加え、電源電圧に応じて制限される動作が異なり、電源電圧が低くなるにつれて大消費電流を必要とする動作を禁止していくことが可能となり、電源の長寿命化を図ることが可能となる。
【００３４】
また、本発明の携帯通信端末の動作制御方法は、無線通信動作を行う無線通信部と、情報が入力される情報入力部と、前記情報を格納する情報格納部と、前記情報格納部に格納されている情報を表示する表示部と、前記無線通信部、情報入力部、情報格納部および表示部の動作を制御する制御部とを含む携帯通信端末の動作制御方法であって、前記無線通信で使用する無線信号の受信レベルを検出する受信レベル検出ステップと、前記受信レベル検出ステップで検出した無線信号の受信レベルが所定値以下の場合には、前記携帯通信端末が実行可能な動作の中で前記情報格納部に格納されている情報を表示する表示動作のみを許容する動作許容ステップとを含むことを特徴とする。
【００３５】
上記の発明によれば、無線信号の受信レベルが所定値以下になると、表示動作のみを許容するので、無線信号の受信レベルに低下に伴い電源電圧が低下することを防止しながら、携帯通信端末に登録されている情報をできるだけ参照することが可能になる。
【発明の効果】
【００３６】
本発明によれば、以下に記載するような効果を奏する。
【００３７】
第１の効果は、電源電圧が低下した状態に陥っても、ユーザが情報格納部に格納した情報を表示する表示動作のみを許容して省電力化を図るため、ユーザに必要な情報を確認可能な時間を長くすることができる。
【００３８】
例えば、ユーザが情報格納部に複数の人の電話番号を示した電話帳を格納している場合、電源電圧が低下した状態でも電話帳を参照することが可能となり、携帯通信端末の電源電圧が低く携帯通信端末による通信ができない状態でも、電話帳の電話番号を参照して他の通信手段を用いて通信をすることが可能となる。
【００３９】
第２の効果は、無線信号の受信レベルが低下した状態に陥っても、ユーザが情報格納部に格納した情報を表示する表示動作のみを許容して省電力化を図るため、ユーザに必要な情報を参照できる時間を長くすることができる。
【発明を実施するための最良の形態】
【００４０】
以下、本発明の実施例を図面を参照して説明する。
【００４１】
図１は、本発明の一実施例の携帯通信端末としての携帯電話端末を示したブロック図である。
【００４２】
図１において、携帯電話端末は、ＣＰＵ１０と、ＲＯＭ１１と、ＲＡＭ１２と、ユーザ入力部１３と、表示部１４と、携帯電話無線部１５と、電源制御部１６と、デジタルカメラ１７とを含む。
【００４３】
本実施例の携帯電話端末は、無線通信機能に加えて、電話番号とその電話番号の使用者とを登録でき、かつ登録した電話番号とその電話番号の使用者とを表示できる電話帳機能と、テキストメモを登録でき、かつ登録したテキストメモを表示できるメモ帳機能と、カメラ機能と、インターネット閲覧機能とを有する。
【００４４】
携帯電話端末は、無線通信機能を実行する無線通信動作と、電話帳機能を実行する電話帳動作と、メモ帳機能を実行するメモ帳動作と、カメラ機能を実行するカメラ動作と、インターネット閲覧機能を実行するインターネット閲覧動作とを実行可能である。
【００４５】
表示部１４は、画面に種々の情報を表示する。
【００４６】
無線通信部としての携帯電話無線部１５は、基地局と無線通信を行う。なお、携帯端末無線部１５は、音声通信中またはパケット通信中でなくても、基地局と無線通信を行う無線通信動作を行うことが可能である。
【００４７】
電圧検出部としての電源制御部１６は、携帯通信端末の電源となるバッテリ１８の電圧を監視し、バッテリ１８の電圧をＣＰＵ１０に通知する。
【００４８】
デジタルカメラ１７は、被写体を撮像することが可能である。
【００４９】
情報入力部としてのユーザ入力部１３は、キー入力部を含み、ユーザによるキー入力部の操作により、種々の情報および動作指示が入力される。
【００５０】
本実施例では、ユーザ入力部１３がユーザに操作されることによって入力される動作指示として、通話指示と、電話帳登録指示と、電話帳表示指示と、メモ帳書き込み指示と、メモ帳表示指示と、カメラ機能開始指示と、インターネット閲覧機能開始指示とを含む。
【００５１】
また、ユーザ入力部１３は、携帯通信端末が実行可能な動作ごとに、動作継続と動作中断とのいずれかを設定するための設定指示が入力される。
【００５２】
情報格納部および設定部としてのＲＡＭ１２は、ＣＰＵ１０のワークエリアとして使用されるワークエリアと、ユーザ入力部１３から入力された情報を格納する情報格納エリアと、ユーザ入力部１３から入力された設定指示が示す設定内容を設定する設定エリアとを含む。
【００５３】
本実施例では、ＲＡＭ１２の情報格納エリアには、ユーザ入力部１３から入力された電話帳情報およびメモ情報が記憶される。電話帳情報は、電話帳機能によって登録された電話番号およびその電話番号の使用者とを含む。メモ情報は、メモ帳機能によって登録されたテキストメモである。なお、ＲＡＭ１２の情報格納エリアには、ユーザがデジタルカメラ１７を用いて撮影したデジタルカメラ画像が記憶されてもよい。
【００５４】
ＲＯＭ１１は、携帯電話端末の制御プログラムと、各種のアプリケーションプログラムと、これら各種のアプリケーションプログラムに関するデータを格納している。
【００５５】
本実施例では、ＲＯＭ１１は、各種のアプリケーションプログラムとして、電話帳機能を実行するための電話帳プログラムと、メモ帳機能を実行するためのメモ帳プログラムと、カメラ機能を実行するためのカメラ機能プログラムと、インターネット閲覧機能を実行するためのインターネット閲覧機能プログラムとを格納している。
【００５６】
制御部としてのＣＰＵ１０は、ＲＯＭ１１に格納されている各種のプログラムおよびデータに基づいて、携帯電話端末全体の制御を行う。
【００５７】
ＣＰＵ１０は、ユーザ入力部１３から動作指示が入力されると、入力された動作指示に応じたプログラムをＲＯＭ１１から読み出し、読み出したプログラムを実行することによって、入力された動作指示に対応した動作を実行する。
【００５８】
例えば、ＣＰＵ１０は、ユーザ入力部１３から通話指示が入力されると、ＲＯＭ１１に格納されている制御プログラムを読み出し、読み出した制御プログラムを実行することによって、通話指示に対応した通信動作を実行する。
【００５９】
また、ＣＰＵ１０は、ユーザ入力部１３から電話帳表示指示が入力されると、ＲＯＭ１１に格納されている電話帳プログラムを読み出し、読み出した電話帳プログラムを実行することによって、電話帳表示指示に対応した表示動作、具体的には、ＲＡＭ１２の情報格納エリアに格納された電話帳情報に応じた内容を表示部１４に表示させる動作を実行する。
【００６０】
また、ＣＰＵ１０は、ユーザ入力部１３からメモ帳表示指示が入力されると、ＲＯＭ１１に格納されているメモ帳プログラムを読み出し、読み出したメモ帳プログラムを実行することによって、メモ帳表示指示に対応した表示動作、具体的には、ＲＡＭ１２の情報格納エリアに格納されたメモ帳情報に応じた内容を表示部１４に表示させる動作を実行する。
【００６１】
ＣＰＵ１０は、電源制御部１６が検出したバッテリ１８の電圧に応じて、携帯電話端末が実行可能な動作を制御する。
【００６２】
ＣＰＵ１０は、電源制御部１６が検出したバッテリ１８の電圧が第１の所定の値ｘより高い場合には、携帯通信端末が実行可能な動作のすべてを許容する。
【００６３】
ＣＰＵ１０は、電源制御部１６が検出したバッテリ１８の電圧が第１の所定の値ｘ以下の場合には、携帯通信端末が実行可能な動作の中で、ＲＡＭ１２の情報格納エリアに格納されている情報を表示部１４に表示する表示動作のみを許容する。
【００６４】
具体的には、ＣＰＵ１０は、電源制御部１６が検出したバッテリ１８の電圧が第１の所定の値ｘ以下の場合には、ＲＡＭ１２の情報格納エリアに格納された電話帳情報およびメモ情報に応じた内容を表示部１４に表示する表示動作のみを許容する。
【００６５】
なお、ＲＡＭ１２の情報格納エリアに、ユーザがデジタルカメラ１７を用いて撮影したデジタルカメラ画像が格納されている場合には、ＣＰＵ１０は、電源制御部１６が検出したバッテリ１８の電圧が第１の所定の値ｘ以下の場合には、ＲＡＭ１２の情報格納エリアに格納された電話帳情報およびメモ情報およびデジタルカメラ画像に応じた内容を表示部１４に表示する表示動作のみを許容する。
【００６６】
また、ＣＰＵ１０は、電源制御部１６が検出したバッテリ１８の電圧が第１の所定の値ｘ以下の場合には、ユーザ入力部１３から入力される電話帳表示指示およびメモ帳表示指示のみを受け付け、電話帳表示指示を受け付けた場合にはＲＡＭ１２の情報格納エリアに格納された電話帳情報に応じた内容を表示部１４に表示させ、メモ帳表示指示を受け付けた場合にはＲＡＭ１２の情報格納エリアに格納されたメモ帳情報に応じた内容を表示部１４に表示させる。
【００６７】
また、ＣＰＵ１０は、電源制御部１６が検出したバッテリ１８の電圧が、第１の所定の値ｘ以下でかつ第１の所定の値ｘよりも小さい値である第２の所定の値ｙより大きい場合には、携帯通信端末が実行可能な動作の中で、ＲＡＭ１２の情報格納エリアに格納されている情報を表示部１４に表示する表示動作のみを許容する。
【００６８】
また、ＣＰＵ１０は、電源制御部１６が検出したバッテリ１８の電圧が、第１の所定の値ｘ以下でかつ第２の所定の値ｙより大きい場合には、ユーザ入力部１３から入力される電話帳表示指示およびメモ帳表示指示のみを受け付け、電話帳表示指示を受け付けた場合にはＲＡＭ１２の情報格納エリアに格納された電話帳情報に応じた内容を表示部１４に表示させ、メモ帳表示指示を受け付けた場合にはＲＡＭ１２の情報格納エリアに格納されたメモ帳情報に応じた内容を表示部１４に表示させる。
【００６９】
ＣＰＵ１０は、電源制御部１６が検出したバッテリ１８の電圧が、第２の所定の値ｙ以下の場合には、携帯電話端末に対するバッテリ１８からの電圧の供給を断って、携帯電話端末が実行可能な動作のすべてを禁止する。
【００７０】
次に、動作の概要を説明する。
【００７１】
図２は、バッテリ１８の電圧Ｖの大きさに応じて制限される携帯電話端末の動作を示した説明図である。
【００７２】
なお、本実施例では、バッテリ１８の電圧Ｖがとりうる電圧の領域を３つの領域に分け、それぞれの領域に応じて、ＣＰＵ１０が携帯電話端末の動作制限を行う。
【００７３】
図２に示すように、バッテリ１８の電圧Ｖが第１の所定の値ｘより高いときは、ＣＰＵ１０は、通常の動作（携帯通信端末が実行可能な動作のすべてを許容する動作）を行う。
【００７４】
バッテリ１８の電圧Ｖがｘ≧Ｖ＞ｙのとき、ＣＰＵ１０は、携帯電話端末が実行可能なの動作を制限する。ＣＰＵ１０が制限する動作は、ユーザによってＲＡＭ１２に格納された電話帳情報およびメモ情報を、表示部１４に表示する表示動作と異なる動作である。
【００７５】
バッテリ１８の電圧Ｖがｙ＞Ｖのとき、ＣＰＵ１０は携帯端末の電源を落とす。ここでｘとｙの関係は、ｘ＞ｙである。
【００７６】
図３は、図１に示した携帯電話端末の動作を説明するためのフローチャートである。以下、図３を参照して携帯電話端末の動作を説明する。
【００７７】
ＣＰＵ１０は、現在のバッテリ１８の電圧Ｖを電源制御部１６を通して確認する（ステップＳ１）。
【００７８】
ステップＳ１で確認したバッテリ１８の電圧Ｖが第１の所定の値ｘ以下であると（ステップＳ２）、ＣＰＵ１０は、現在処理中の動作をすべて停止させて、その後、ユーザによってＲＡＭ１２に格納された電話帳情報およびメモ情報を表示部１４に表示する表示動作のみを許容する制限動作状態へ移行する（ステップＳ３）。
【００７９】
その後、ＣＰＵ１０は、バッテリ１８の電圧Ｖがｙ以下になったかを判定し（ステップＳ４）、バッテリ１８の電圧Ｖがｙ以下の場合には携帯電話端末の電源を落として、携帯電話端末が実行可能な動作を禁止する（ステップＳ７）。
【００８０】
本実施例によれば、バッテリ電圧が低下した状態に陥っても、ユーザが登録した情報の表示動作とは異なる動作を制限して省電力化を図るため、ユーザに必要な情報を表示できる時間を長くすることができる。
【００８１】
また、本実施例によれば、バッテリ電圧が低下した状態に陥ってもユーザが登録する情報である電話帳情報を確認することが可能なため、バッテリ電圧が少なく通信ができない状態でも電話帳情報が示す電話番号等を確認して他の通信手段を用いて通信をすることが可能となる。
【００８２】
次に、本発明の第２の実施例を説明する。
【００８３】
第２の実施例の構成は、図１に示した構成とほぼ同様である。第２の実施例は、ＣＰＵ１０が行う制御内容が、先に示した実施例の動作に加えて、携帯通信端末が実行可能な動作ごとに設定された、動作継続と動作中断とのいずれかを示す設定指示に応じて、ＣＰＵ１０が、バッテリ電圧が第１の所定の値ｘ以下になったときに処理中の動作を制御する例である。
【００８４】
例えば、ＣＰＵ１０は、バッテリ１８の電圧が第１の所定の値ｘ以下になったときに処理中の動作のうちＲＡＭ１２の設定エリアで動作継続と設定されている動作は、該処理が終了するまで実行させ、該処理が終了した後、携帯通信端末が実行可能な動作の中で表示動作のみを許容し、バッテリ１８の電圧が第１の所定の値ｘ以下になったときに処理中の動作のうち設定エリアで動作中断と設定されている動作は中断させ、該動作が中断した後、携帯通信端末が実行可能な動作の中で表示動作のみを許容する。
【００８５】
図４は、第２の実施例の動作を説明するためのフローチャートである。以下、図４を参照して、第２の実施例の動作を説明する。
【００８６】
まず、あらかじめ携帯通信端末が実行可能な動作ごとに、その動作処理中にバッテリ１８の電圧が低電圧（本実施例では、第１の所定の値ｘ以下の電圧）になった際に、その動作処理を継続するか中断するかの設定を行う（ステップＳ１０）。
【００８７】
なお、ステップＳ１０の設定は、ユーザがユーザ入力部１３を操作して、携帯通信端末が実行可能な動作ごとに、動作継続と動作中断とのいずれかを設定するための設定指示を入力し、入力された設定指示をＣＰＵ１０がＲＡＭ１２に設定してもよく、また、携帯電話端末の出荷前にメーカ側がＲＯＭ１１に設定してもよい。
【００８８】
続いて、ＣＰＵ１０は現在のバッテリ１８の電圧Ｖを電源制御部１６を通して確認する（ステップＳ１１）。
【００８９】
ステップＳ１１で確認したバッテリ１８の電圧Ｖが第１の所定の値ｘ以下の場合（ステップＳ１２）、ＣＰＵ１０は、現在処理中の動作が動作継続と設定されているかまたは動作中断と設定されているか確認する（ステップＳ１３）。
【００９０】
現在処理中の動作が動作継続と設定されている場合（ステップＳ１３）、ＣＰＵ１０は、現在処理中の動作の処理が終了するまで現在処理中の動作を継続して実行させ（ステップＳ１４）、該処理が終了した後（ステップＳ１５）、携帯通信端末が実行可能な動作の中で表示動作のみを許容する（ステップＳ１６）。
【００９１】
継続動作が終了するまで、ＣＰＵ１０はバッテリ１８の電圧Ｖを監視し（ステップＳ１５、Ｓ１８）、バッテリ１８の電圧Ｖが第２の所定の値ｙ以下になった場合には、ＣＰＵ１０は携帯電話端末の電源を落とす（ステップＳ１９）。
【００９２】
また、ＣＰＵ１０は、バッテリ１８の電圧が第１の所定の値ｘ以下になったときに処理中の動作のうち設定エリアで動作中断と設定されている動作を中断させ（ステップＳ１２、Ｓ１３、Ｓ１７）、該動作が中断した後、携帯通信端末が実行可能な動作の中で表示動作のみを許容する（ステップＳ１６）。
【００９３】
本実施例によれば、例えば、パケット通信動作は、バッテリ１８の電圧Ｖが第１の所定の値ｘ以下になっても動作を継続して、バッテリ１８の電圧Ｖが第１の所定の値ｘ以下になったときにすぐに制限動作状態（携帯通信端末が実行可能な動作の中で表示動作のみを許容する状態）への移行をしない設定としておけば、パケット通信中にバッテリ１８の電圧値が第１の所定の値ｘより低くなった場合でも通信を継続し、通信が終了後に制限動作状態に移行することが可能となる。
【００９４】
次に、第３の実施例を説明する。
【００９５】
第３の実施例の構成は、図１に示した構成とほぼ同様である。第３の実施例は、ＣＰＵ１０が、バッテリ１８の電圧が所定の値ｂより高い場合には、バッテリ１８の電圧の大きさが小さくなるにつれて、携帯通信端末が実行可能な動作の中から表示動作を除いた残りの動作の中で実行を禁止する動作を増やしていく例である。
【００９６】
具体的には、ａとｂとｃという複数の電圧しきい値が設定され、バッテリ１８の電圧Ｖと電圧しきい値ａおよびｂおよびｃとの大小関係に応じて、ＣＰＵ１０が、携帯通信端末が実行可能な動作の中で制限する動作を制御する例である。
【００９７】
図５は、バッテリ１８の電圧Ｖの大きさに応じて制限される携帯電話端末の動作を示した説明図である。
【００９８】
図５に示すように、バッテリ１８の電圧Ｖと複数の電圧しきい値ａとｂおよびｃとの大小関係において、電圧Ｖ＞ａの場合には通常の動作、ｂ＜Ｖ≦ａの場合にはカメラ機能とインターネット閲覧機能と動作停止およびこれらの機能の起動が制限され、ｃ≦Ｖ＜ｂの場合にはユーザによって登録された電話帳やテキストメモなどの情報表示機能と異なる機能が制限され、Ｖ≦ｃの場合に携帯電話端末の電源が落ちる。
【００９９】
図６は、第３の実施例の動作を説明するためのフローチャートである。以下、図６を参照して、第３の実施例の動作を説明する。
【０１００】
まず、あらかじめ携帯通信端末が実行可能な動作ごとに、動作が制限され始めるバッテリ１８の電圧値を設定する（ステップＳ２０）。例えば、ステップＳ２０で行われる設定は、図５に示したような設定である。
【０１０１】
ステップＳ２０の設定は、ユーザがユーザ入力部１３を操作して、携帯通信端末が実行可能な動作ごとに、動作が制限され始めるバッテリ１８の電圧値を入力し、入力された動作が制限され始めるバッテリ１８の電圧値をＣＰＵ１０がＲＡＭ１２に設定してもよく、また、携帯電話端末の出荷前にメーカ側がＲＯＭ１１に設定してもよい。
【０１０２】
ＣＰＵ１０は、現在のバッテリ１８の電圧Ｖを電源制御部１６を通して確認する（ステップＳ２１）。
【０１０３】
ＣＰＵ１０は、ステップＳ２１で確認したバッテリ１８の電圧ＶがＶ≦ａの場合（ステップＳ２２）、さらにステップＳ２３にて電圧ＶはＶ≦ｃかを確認し、電圧Ｖがｃ以下の場合にはＣＰＵ１０は携帯電話端末の電源を落とす（ステップＳ２４）。
【０１０４】
ＣＰＵ１０は、ステップＳ２３にてＶ＞ｃであれば、ステップＳ２５にてＶ≦ｂであるか確認にし、Ｖ≦ｂの場合、ＣＰＵ１０は、ユーザによって登録されたデータである電話帳情報およびテキストメモなどの情報のみを表示する表示動作のみが許容される制限動作状態に移行する（ステップＳ２６）。
【０１０５】
ＣＰＵ１０は、ステップＳ２５にてＶ＞ｂの場合には、ユーザによって設定された、電圧値に基づく動作設定に基づく制限動作状態（例えば、カメラ機能およびインターネット閲覧機能の動作および起動のみが制限された制限動作状態）に移行する（ステップＳ２７）。
【０１０６】
また、ＣＰＵ１０は、ステップＳ２２にてＶ＞ａの場合にはステップＳ２１に戻り、通常動作を継続する。
【０１０７】
本実施例によれば、バッテリ１８の電圧に応じて制限される動作が異なり、バッテリ１８の電圧が低いときには大消費電流を必要とする機能が使用できなくすることが可能となり、バッテリの持ち時間をさらに長くすることが可能となる。
【０１０８】
次に、第４の実施例を説明する。
【０１０９】
第４の実施例は、先に示した実施例のようにバッテリ１８の電圧によって制限動作状態に移行して省電力化を図るのではなく、無線状態に基づいて制限動作状態に移行することのより省電力化を測る例である。
【０１１０】
図７は、第４の実施例を示したブロック図である。なお、図７において、図１と同一構成のものには、同一符号を附してある。
【０１１１】
図７において、タイマ１９は、ＣＰＵ１０によって動作が制御される。携帯電話無線部１５は、無線通信で使用する無線信号の受信レベルを検出する。ＣＰＵ１０は、携帯電話無線部１５が検出した無線信号の受信レベルに応じて、携帯通信端末が実行可能な動作を制御する。例えば、ＣＰＵ１０は、携帯電話無線部が検出した無線信号の受信レベルが所定値以下の場合には、携帯通信端末が実行可能な動作の中で表示動作のみを許容する。
【０１１２】
図８は、第４の実施例の動作を説明するためのフローチャートである。以下、図８を参照して、第４の実施例の動作を説明する。
【０１１３】
ＣＰＵ１０は、携帯端末無線部１５が行っている無線通信で使用している無線信号の電波状況（受信レベル）を確認する（ステップＳ３０）。
【０１１４】
ＣＰＵ１０は、ステップＳ３０にて、受信レベルが低くて電波状況が圏外であると判断すると（ステップＳ３１）、ＣＰＵ１０はタイマ１９をスタートさせ（ステップＳ３２）、電波状況をモニタする（ステップＳ３３）。
【０１１５】
ＣＰＵ１０は、タイマ１９のタイムアップ後（ステップＳ３４）、ステップＳ３５において、電波状況をモニタしていた期間の間、電波状況が継続的に圏外であったかを判定する。
【０１１６】
ＣＰＵ１０は、電波状況をモニタしていた期間の間、電波状況が継続的に圏外でなかった場合には、ステップＳ３０に戻る（ステップＳ３５）。
【０１１７】
ＣＰＵ１０は、電波状況をモニタしていた期間の間、電波状況が継続的に圏外であった場合には（ステップＳ３５）、携帯通信端末が実行可能な動作の中で表示動作のみを許容する制限動作状態に移行する（ステップＳ３６）。
【０１１８】
ＣＰＵ１０は、制限動作状態に移行後、タイマ１９をスタートさせる（ステップＳ３７）。
【０１１９】
ＣＰＵ１０は、タイマ１９がタイムアップすると（ステップＳ３８）、携帯端末無線部１５の動作制限を一時的に解除して電波状況を確認し、圏外状態から復帰していた場合には（ステップＳ３９）、通常状態に復帰し（ステップＳ４０）、圏外状態が継続していた場合には（ステップＳ３９）、再度タイマ１９をスタートさせる。
【０１２０】
本実施例によれば、ＣＰＵ１０は、無線信号の受信レベルが所定値以下になると、表示動作のみを許容するので、無線信号の受信レベルに低下に伴って携帯電話端末が通信可能な電波を探してしまい無駄な電力を消耗してしまうという不具合を解消可能となり、電源電圧が低下することを防止しながら、携帯通信端末に登録されている情報をできるだけ参照することが可能になる。
【０１２１】
次に、第５の実施例を説明する。
【０１２２】
第５の実施例は、携帯電話端末が低電圧状態になったことが検出されたときに、携帯電話端末が、パケット通信によってサーバに低電圧状態であることを通知し、その後に携帯電話端末が動作制限状態に移行する例である。
【０１２３】
図９は、第５の実施例を示したブロック図である。
【０１２４】
図９において、本発明の第５の実施例の通信システムは、携帯電話端末５０と、携帯電話基地局５１および携帯電話通信網５２とを介して携帯通信端末５０と接続するサーバ５３とを含む。
【０１２５】
携帯電話端末５０は、図１に示した携帯電話端末５０とほぼ同一である。携帯電話端末５０は、電源電圧が所定の値以下であること検出したときに低電圧状態を示す低電圧情報を携帯電話基地局５１と携帯電話通信網５２とを介してサーバ５３に通知する。また、携帯電話端末５０は、サーバ５３から該低電圧情報に応じた設定が終了したことの通知を携帯電話基地局５１と携帯電話通信網５２とを介して受けた後に、携帯通信端末５０が実行可能な動作の中で表示動作のみを許容する。
【０１２６】
なお、携帯電話端末５０が行う動作は、携帯電話端末５０内のＣＰＵ１０によって制御される。
【０１２７】
サーバ５３は、低電圧情報の通知を行った携帯通信端末５０に着呼が発生した場合には、該呼を発生した通信端末に対して携帯通信端末が低電圧状態であることを知らせる。
【０１２８】
図１０は、第５の実施例の動作を説明するためのフローチャートである。以下、図１０を参照して、第５の実施例の動作を説明する。
【０１２９】
携帯電話端末５０のＣＰＵ１０が、現在のバッテリ１８の電圧Ｖを電源制御部１６を通して確認する（ステップＳ４１）。
【０１３０】
携帯電話端末５０のＣＰＵ１０は、バッテリ１８の電圧Ｖが、第１の所定の値ｘより大きくない場合（ステップＳ４２）、携帯電話端末５０のＣＰＵ１０は、サーバ５３との間でパケット通信を行うため接続を確立する（ステップＳ４３）。
【０１３１】
携帯電話端末５０のＣＰＵ１０は、サーバ５３との間でパケット通信を行うため接続が確立した後、携帯電話端末５０は自身が低電圧状態にあることをサーバ５３に通知する（ステップＳ４４）。
【０１３２】
携帯電話端末５０のＣＰＵ１０は、ステップＳ４４での通知後、低電圧状態が確認された通知をサーバ５３より受け取り（ステップＳ４５）、携帯電話端末５０のＣＰＵ１０はパケット通信の接続を切断する。
【０１３３】
携帯電話端末５０のＣＰＵ１０は、サーバ５３との接続を切断した後、現在動作中の機能をすべて停止させて携帯電話端末５０の動作を制限し、さらにユーザが登録した電話帳およびテキストメモなど表示する表示動作のみを動作可能とする制限動作状態に移行する（ステップＳ４６）。
【０１３４】
携帯電話端末５０のＣＰＵ１０は、ステップＳ４６を実行した後、バッテリ１８の電圧Ｖがｙ以下になったかを判定し（ステップＳ４７）、バッテリ１８の電圧Ｖがｙ以下の場合には携帯電話端末の電源を落とす（ステップＳ４８）。
【０１３５】
図１１は、第５の実施例の動作を説明するためのシーケンス図である。以下、図１１を参照して、第５の実施例の動作を説明する。
【０１３６】
携帯電話端末５０のＣＰＵ１０が、現在のバッテリ１８の電圧Ｖを電源制御部１６を通して確認し、バッテリ１８の電圧Ｖが第１の所定の値ｘより大きくない低電圧状態を検出すると（ステップＳ１００）、携帯電話端末５０のＣＰＵ１０は、サーバ５３にパケット通信接続を要求する（ステップＳ１０１）。
【０１３７】
携帯電話端末５０からパケット通信接続の要求を受け取ったサーバ５３は、パケット通信接続処理を行い、パケット通信接続処理が終了した後、パケット通信接続完了通知を携帯電話端末５０に送信する（ステップＳ１０２）。
【０１３８】
携帯電話端末５０のＣＰＵ１０は、サーバ５３との間でパケット通信を行うため接続が確立した後、携帯電話端末５０は自身が低電圧状態にあることをサーバ５３に通知するとともに、低電圧状態にあるときの携帯電話端末５０に対する着呼に対するサーバ５３の応答内容の設定するための設定通知をサーバ５３に通知する（ステップＳ１０３）。
【０１３９】
なお、ステップＳ１０３で行う設定通知としては、例えば、低電圧状態にあるときの携帯電話端末５０に対する着呼を発生した通信端末に対して、該携帯通信端末が低電圧状態であることを知らせる通知をサーバ５３に行わせる設定通知とする。
【０１４０】
サーバ５３は、低電圧状態の通知と設定通知とを携帯電話端末５０から受けると、受け取った設定通知に基づいて低電圧状態の携帯電話端末への着呼への応答内容を設定する（ステップＳ１０４）。
【０１４１】
サーバ５３は、ステップＳ１０４が終了すると、低電圧状態の通知を行った携帯電話端末５０に対して設定完了通知を送信する（ステップＳ１０５）。
【０１４２】
携帯電話端末５０のＣＰＵ１０は、サーバ５３から送信された設定完了通知を受けると、パケット通信切断要求をサーバ５３に送信する（ステップＳ１０６）。サーバ５３は、携帯電話端末５０から送信されたパケット通信切断要求を受けると、パケット通信を切断する処理を行い、パケット通信を切断する処理が終了すると、パケット通信を切断したことを知らせる設定完了通知を携帯電話端末５０に送信する（ステップＳ１０７）。
【０１４３】
携帯電話端末５０のＣＰＵ１０は、パケット通信を切断したことを知らせる設定完了通知を受けると、現在動作中の機能をすべて停止させて携帯電話端末５０の動作を制限し、さらにユーザが登録した電話帳およびテキストメモなど表示する表示動作のみを動作可能とする制限動作状態に移行する（ステップＳ１０８）。
【０１４４】
本実施例によれば、低電圧情報の通知を行った携帯通信端末に着呼が発生した場合に、該呼を発生した通信端末に対して携帯通信端末が低電圧状態であることを知らせることが可能となる。
【０１４５】
なお、携帯電話端末５０のＣＰＵ１０が、低電圧状態にあるときの携帯電話端末５０に対する着呼の転送先を示す転送先情報をステップＳ１０３の設定通知で通知し、サーバ５３がこの設定通知に基づいて低電圧状態の携帯電話端末への着呼への応答内容を設定するようにすれば、低電圧状態の携帯電話端末が制限動作状態に移行後に発生する、低電圧状態の携帯電話端末への着呼を、サーバ５３に通知した転送先への転送することが可能となる。
【０１４６】
以上説明した各実施例において、図示した構成は単なる一例であって、本発明はその構成に限定されるものではない。
【０１４７】
例えば、携帯電話端末は、デジタルカメラを有してなくてもよい。また、携帯電話端末は、電話帳機能とメモ帳機能との両方の機能を有してなくてもよく、電話帳機能とメモ帳機能とのうちいずれかの機能のみを有するものでもよい。また、携帯電話端末は、インターネット閲覧機能を有していなくてもよい。また、携帯電話端末は、電話帳機能ともメモ帳機能ともカメラ機能ともインターネット閲覧機能とも異なる機能を有し、該機能に応じた動作を行うことが可能であってもよい。
【図面の簡単な説明】
【０１４８】
【図１】本発明の一実施例の携帯電話端末を示したブロック図である。
【図２】図１に示した携帯電話端末の動作を説明するための説明図である。
【図３】図１に示した携帯電話端末の動作を説明するためのフローチャートである。
【図４】本発明の他の実施例の動作を説明するためのフローチャートである。
【図５】本発明のさらに他の実施例の動作を説明するための説明図である。
【図６】本発明のさらに他の実施例の動作を説明するためのフローチャートである。
【図７】本発明のさらに他の実施例の携帯電話端末を示したブロック図である。
【図８】図７に示した携帯電話端末の動作を説明するためのフローチャートである。
【図９】本発明の一実施例の通信システムを示したブロック図である。
【図１０】図９に示した通信システムの動作を説明するためのフローチャートである。
【図１１】図９に示した通信システムの動作を説明するためのシーケンス図である。
【符号の説明】
【０１４９】
１０      ＣＰＵ
１１      ＲＯＭ
１２      ＲＡＭ
１３      ユーザ入力部
１４      表示部
１５      携帯電話無線部
１６      電源制御部
１７      デジタルカメラ
１８      バッテリ
１９      タイマ
５０      携帯電話端末
５１      携帯電話基地局
５２      携帯電話通信網
５３      サーバ
【図１】
2005064849.tif 000003
【図２】
2005064849.tif 000004
【図３】
2005064849.tif 000005
【図４】
2005064849.tif 000006
【図５】
2005064849.tif 000007
【図６】
2005064849.tif 000008
【図７】
2005064849.tif 000009
【図８】
2005064849.tif 000010
【図９】
2005064849.tif 000011
【図１０】
2005064849.tif 000012
【図１１】
2005064849.tif 000013